(57)【要約】【課題】    室内吹出し出口の方向を容易に変更出来る自然換気装置を提供する【解決手段】  建物の内と外とが連通された横長連通ダクト内に周縁部がシールされた気流調整用開口部が形成され、この内気流調整用開口部より建物開口部側に横長の羽根が揺動自在に設けられこの羽根が設定最大振れ位置に達した時、気流調整用開口部が閉塞されるように構成された自然換気装置であってしかもこの連通ダクトが複数のユニット枠体により構成されこの複数のユニット枠体のうち１ユニット枠体を交換することによって室内吹出口方向が全く別方向に転向可能になる吹出口方向選択方式の自然換気装置【選択図】  図１
2006189174.tif 000002
【特許請求の範囲】
【発明の詳細な説明】
【技術分野】
【０００１】  本発明は自然換気装置における建物の内部と外部との間に設けられた横長連通ダクトのダクト構造に関する。
【背景技術】
【０００２】  ここ最近は省エネや環境問題が叫ばれており、そのためビル内に自然換気を取り入れる方法が種々工夫されてきている。例えば無目を利用して室内を換気する装置（特許文献１参照）や建物外壁に換気口を設け建物内外を連通させた風洞を設け風洞内に風量調整弁を設けた自然換気装置（特許文献２参照）などが提供されてきていた。【０００３】
【特許文献１】  特開昭５９−２８０７号公報
【特許文献２】  特開平１０−２３２０３９号公報  図１、図４と第３ページ段落００１５〜段落００１７
【発明の開示】
【発明が解決しようとする課題】
【０００４】  しかしながら特許文献１のものは回動蓋により室内への風の流出量を手動により調整することが出来るが、風の流入量に応じて内部流出量を自動的に調整することが出来ないという不都合があり、特許文献２の図１、図４はそれぞれ下枠、上枠に設けられた定風量自然換気装置であり、それぞれに風量調整弁、逆流制御弁が設けられているが逆流制御は室内から機械的に放出される場合は必要であるが自然換気の場合は不要なものであり余分な装置の取付という不都合があるし、また風量調整弁や逆流制御弁をともに設定量だけ傾斜させて風洞内を開状態に保つ方法は羽根片２１の長孔２２内における支持軸２３の支持位置を調節可能に取付するとの開示がなされているもののそれ以上の記載はなく実際には取付に対しては要領を得ないという不都合がある。またこの両者はあらかじめ室内吹出口が上面を向くように構成されており、ユーザーによっては室内吹出口を正面に向けて欲しいという要望があった場合にはダクト設計のやり直しが必要であり、迅速に対応することがことが出来ないという不都合があった。本発明はかかる不都合を解決することを目的として提供されたものである。
【課題を解決するための手段】
【０００５】  本発明者は羽根の上部を軸固定して羽根を揺動自在に構成し、風の力により羽根が揺動してダクト内に設けられた気流調整用開口部の通過風量が変更できるように構成した上、連通ダクトを複数のユニット枠体に分割しそれぞれのパーツのユニット枠体を組み合わせて連通ダクトにすることによってかかる不都合を解決した。すなわち本発明は建物の内部と外部とが連通された構造を有する横長の連通ダクトの連通路内に気流調整用開口部が形成され、この連通路内の気流調整用開口部より建物開口部側に横長の羽根が設けられこの羽根の上部側が上記連通ダクトの両側面に付設の軸受を介して挿通された支持軸に軸着されて風に対して揺動自在になるように取付され、上記羽根が風によって室内吹出口側に向って設定最大振れ位置に達した時ちょうど上記羽根が上記気流調整用開口部を閉塞するように構成された自然換気装置において上記連通ダクトが複数のユニット枠体により構成されこの複数のユニット枠体のうち１ユニット枠体を交換することにより室内吹出口方向が別方向に転向可能になることを特徴とする２ウェイ選択方式の吹出口を有する自然換気装置である。【０００６】  別方向に転向可能とは、例えば垂直方向だった風の室内吹出口を水平方向に変更したり、水平方向だった風の室内吹出口を垂直方向に変更したりすることをいい、その方向は水平垂直方向にこだわらなくても例えば斜め上向きを斜め下向きであっても構わない。また、支持軸と羽根との固定方法は支持軸に羽根断面上部全体を貫通させて羽根を軸固定させても良いし、両端部のみを互いに支持させるようにしても良いし、羽根上部に設けられたブラケットを介して支持軸に軸固定させても良い。【０００７】  また、この横長連通ダクトは内部と外部とが連通された構造であるため建物の開口部側には鳥や虫などが入り込まないようにネットを設け、室内吹出口側には強風によってほこり等が室内に舞い込まないようにネットやフィルタを設けることが好ましい。
【発明の効果】
【０００８】  本発明の自然換気装置は自然の風の力による羽根の揺動でダクト内の気流調整用開口部の流量を自動コントロールするため省エネであり、室内に適量の風の吹出しが可能である。また、羽根は上部側で支持されダクト内開口部は羽根のうち支持軸より下部側のみによって閉鎖されるため閉鎖面は一平面上となりタイトゴムを用いて気流調整用開口部の周縁部を閉塞する作業が容易に出来る。また連通ダクトは複数のユニットにより構成されているためユニットの組付け途中においてダクト内部に羽根を設置することが出来て取付組立が容易であり、また複数の組立ユニットのうち１ユニットを交換することにより室内吹出口の方向が変更出来るため汎用性に富んで迅速な対応が可能である。
【発明を実施するための最良の形態】
【０００９】  建物の内部と外部とが連通された構造で連通路途中に気流調整用開口部２０が形成されてなる横長の連通ダクト１はユニット上枠２とユニット下枠３と左右のユニット縦枠４と左右のタイトゴム受けアタッチメント１５と正面吹出型アタッチメント枠５または上面吹出型アタッチメント枠６とを組み合わせることによって製作されてなるものである。
【実施例】
【００１０】  図１は実施例自然換気装置の正面吹出型アタッチメント枠取付時の主要部断面図、図２は実施例自然換気装置の上面吹出型アタッチメント枠取付時の主要部断面図、図３はアタッチメント枠体を取付前の主要部断面図であり、図４は正面吹出型アタッチメント枠５の斜視図、図７は上面吹出型アタッチメント枠６の斜視図である。【００１１】  まず実施例の正面吹出型自然換気装置の組立構成を説明すると、建物の開口部取付面７の下枠と気流調整用開口部２０を形成する気流調整用開口部下枠とにあらかじめタイトゴム８が設けられた横長のユニット下枠３がボルト９により取付され、続いてユニット下枠３と建物の開口部取付面７の縦枠にあらかじめタイトゴム８が設けられた左右のユニット縦枠４、４とが連結される。図９がユニット下枠３の断面図、図１０がユニット縦枠４の側面図である。【００１２】  次にこの左右のユニット縦枠４、４の所定位置に設けられた軸受（図示せず）を介して羽根１０の上部を貫通させるための支持軸１１がユニット縦枠４の外側から挿通され羽根１０が軸着される。この羽根１０の上部には羽根が一定の揺動範囲にしか揺動出来ないように突起物１２が設けられ、羽根１０の最大振れ時には上部空間を塞ぎ通常揺動時にはエネルギーの余分な消費を防ぐためのヒレゴム１３が設けられてなり、羽根１０は軽量化するために内部が空洞化されて両端部は羽根蓋１６により蓋されている。【００１３】  続いて建物の開口部取付面７の上枠側と気流調整用開口部２０を形成する気流調整用開口部上枠とにあらかじめタイトゴム８が設けられ、更にあらかじめ突起物のクッションとしてクッション材１４が設けられた横長のユニット上枠２が建物の開口部取付面と左右のユニット縦枠４、４とに連結固定される。図８がユニット上枠２の断面図である。【００１４】  更にダクト内に気流調整用開口部２０を形成するための気流調整用開口部縦枠としてあらかじめタイトゴム８が設けられたタイトゴム受けアタッチメント１５、１５が取付されることにより周縁部にタイトゴム８が設けられた気流調整用開口部２０が完成される。図１１がユニット縦枠４とタイトゴム受けアタッチメント１５との取付状況を示す一方の横断面図であり、もう一方のタイトゴム受けアタッチメント１５はその対称形を為すのものであり、このように左右のユニット縦枠４、４にユニット下枠３とユニット上枠２とタイトゴム受けアタッチメント１５、１５とが連結されることにより図３に示すような室内側の吹出し方向設定を除いたところの横長の連通ダクト１が形成される。【００１５】  最後に図４、図５に示すような横長の正面吹出型アタッチメント枠４を取付け、この正面吹出型アタッチメント枠４の天面側をユニット上枠２に、側面を左右のユニット縦枠４、４に取付けすることにより室内における正面吹出型の自然換気装置が形成される。図１が正面吹出型の自然換気装置の主要部を示す断面図である。図１における直角の２点鎖線は室内との境界線を示しており、主要部と境界線との間には室内吹出しのための意匠的な連結アタッチメント（図示せず）が設けられることになる。図１１は図１の室内吹出し口側にネット１７を設けたものの断面図である。【００１６】  次に上面吹出���自然換気装置の組立構成を説明すると図３に示すように室内側の吹出し方向設定を除いたところの横長の連通ダクト１が形成されるまでは正面吹出型自然換気装置の組立構成と全く同様であるため省略する。図３と同様のところまで組立された後、次に図６、図７に示すような横長の上面吹出型アタッチメント枠６を取付け、この上面吹出型アタッチメント枠６の正面側をユニット下枠３に、側面を左右のユニット縦枠４、４に取付けすることにより室内における上面吹出型の自然換気装置が形成される。図２が上面吹出型の自然換気装置の主要部を示す断面図である。図２における直角の２点鎖線は室内との境界線を示しており、主要部と境界線との間には室内吹出しのための意匠的な連結アタッチメント（図示せず）が設けられることになる。図１２は図２の室内吹出口側にネット１７を設けたものの断面図である。【００１７】  次に動作について説明する。図１と図２とは室内吹出し方向が異なるだけで動作としては同じであるため図１の正面吹出型の自然換気装置について説明する。図１において白抜きの矢印で示したように外気は連通ダクト１の建物側開口部から流入して室内吹出し側の開口部から室内側に吹き出しされる。無風状態の時羽根１０は図１の実線で示した位置にあり、風の強さにより最大で２点鎖線で示した位置まで支持軸を中心にして揺動するがその反動で戻る際には実線位置より建物開口部方向には行かないように突起物１２がクッション材１４に当接され、次第に減衰して無風状態になると実線位置に停止することになる。【００１８】  このように風の力により羽根１０は最大で両方向矢印によって示した揺動位置内を揺動することになる。まず、図１において白抜きの矢印で示したように外気は連通ダクト１の建物側開口部から流入するが、第１次設定量の風までは羽根１０は自重により停止状態を保つ。第１次設定量を越えると羽根１０はそれに応じて右方向に回動し、第２次設定量で羽根１０が気流調整用開口部２０のタイトゴムに当接して気流調整用開口部２０を塞ぎ、風が弱まれば風の強さに応じて自然に戻ることになる。所定内の風であればこの状況が繰り返され室内には気流調整用開口部２０において調整された風量だけが吹き出すことになって自然換気が行なわれることになる。【００１９】  また、建物の外に設けられた風センサー（図示せず）によって設定値以上の風を感知すると自動的に支持軸が回動して羽根１０が回動し、気流調整用開口部２０のタイトゴムに当接して気流調整用開口部２０を塞ぐため風は室内に吹き出すことがない。【００２０】  以上説明したように本実施例の自然換気装置はアタッチメント枠を交換するだけで室内への吹き出し方向が簡単に変更出来る自然換気装置となる。
【図面の簡単な説明】
【００２１】
【図１】  正面吹出型アタッチメント枠取付時の自然換気装置の主要部断面図
【図２】  上面吹出型アタッチメント枠取付時の自然換気装置の主要部断面図
【図３】  アタッチメント枠取付前の自然換気装置の主要部断面図
【図４】  正面吹出型アタッチメント枠の斜視図
【図５】  正面吹出型アタッチメント枠の断面図
【図６】  上面吹出型アタッチメント枠の斜視図
【図７】  上面吹出型アタッチメント枠の断面図
【図８】  ユニット上枠２の断面図
【図９】  ユニット下枠３の断面図
【図１０】  ユニット縦枠４の断面図
【図１１】  ユニット縦枠４とタイトゴム受けアタッチメント１５との取付状況を示す横断面図
【図１２】  図１の室内吹出し口側にネットを設けたものの断面図
【図１３】  図２の室内吹出し口側にネットを設けたものの断面図
【符号の説明】
【００２２】    １  連通ダクト
２  ユニット上枠
３  ユニット下枠
４  ユニット縦枠
５  正面吹出型アタッチメント枠
６  上面吹出型アタッチメント枠
７  建物の開口部取付面
８  タイトゴム
９  ボルト
１０  羽根
１１  支持軸
１２  突起物
１３  ヒレゴム
１４  クッション材
１５  タイトゴム受けアタッチメント
１６  羽根蓋
１７  ネット
２０  気流調整用開口部
【図１】
2006189174.tif 000003
【図２】
2006189174.tif 000004
【図３】
2006189174.tif 000005
【図４】
2006189174.tif 000006
【図５】
2006189174.tif 000007
【図６】
2006189174.tif 000008
【図７】
2006189174.tif 000009
【図８】
2006189174.tif 000010
【図９】
2006189174.tif 000011
【図１０】
2006189174.tif 000012
【図１１】
2006189174.tif 000013
【図１２】
2006189174.tif 000014
【図１３】
2006189174.tif 000015
【手続補正書】
【提出日】平成17年3月17日(2005.3.17)
【手続補正１】
【補正対象書類名】特許請求の範囲
【補正対象項目名】全文
【補正方法】変更
【補正の内容】
【特許請求の範囲】
【請求項１】
建物の内部と外部とが連通された構造を有する横長の連通ダクトの連通路内に気流調整用開口部が形成されこの連通路内気流調整用開口部より建物開口部側に横長の羽根が設けられこの羽根の上部側が上記連通ダクトの両側面に付設の軸受を介して挿通された支持軸に軸着されて風に対して揺動自在になるように取付され上記羽根が風によって室内吹出口側に向って設定最大振れ位置に達した時ちょうど上記羽根が上記気流調整用開口部を閉塞するように構成された自然換気装置において上記連通ダクトが複数のユニット枠体により構成されこの複数のユニット枠体のうち１ユニット枠体を交換することにより室内吹出口方向が別方向に転向可能になることを特徴とする２ウェイ選択方式の吹出口を有する自然換気装置